(57)【要約】【課題】  球崩し部材と球検出体として同一形態のものを使用して経済的に有利な遊技機用球樋装置を提供する。【解決手段】  遊技機枠の裏面に取り付けられて球を一端側から他端側に向けて流下させる横樋２と、横樋の内部の一端側に球の流れる方向に回転可能に取り付けられた球検出体３と、横樋の内部の一端側と他端側との間の中間に球の流れる方向に回転可能に取り付けられた球崩し部材４とを備えた遊技機用球樋装置において、これら球崩し部材と球検出体とを同一形態の共通体により形成した。【選択図】        図１
2005168589.tif 000002
【特許請求の範囲】
【請求項１】
遊技機枠の裏面に取り付けられて球を一端側から他端側に向けて流下させる横樋と、横樋の内部の一端側に球の流れる方向に回転可能に取り付けられた球検出体と、横樋の内部の一端側と他端側との間の中間に球の流れる方向に回転可能に取り付けられた球崩し部材とを備えた遊技機用球樋装置において、これら球崩し部材と球検出体とが同一形態の共通体により形成されたことを特徴とする遊技機用球樋装置。
【請求項２】
共通体が、遊技機に使用される球を錘として設けたことを特徴とする請求項１に記載の遊技機用球樋装置。
【請求項３】
共通体が、錘として遊技機に使用される球の嵌合部を備えたことを特徴とする請求項２に記載の遊技機用球樋装置。
【請求項４】
共通体が、板状の三角形状に形成され、一方の底角部には板厚方向に貫通する孔からなる嵌合部を備え、頂点部分には当該共通体を横樋に軸で回転可能に支持するために板厚方向に貫通する軸受孔を備え、頂点部分と他方の底角部とを結ぶ面で構成された球検出面を備え、弧状に形成された一方の底角部と、一方の底角部と他方の底角部とを結ぶ面と、他方の底角部と頂点部分とを結ぶ面とで構成された球崩し面を備えたことを特徴とする請求項３に記載の遊技機用球樋装置。
【発明の詳細な説明】
【技術分野】
【０００１】
本発明は、球崩し部材と球検出体として同一形態のものを使用して経済性的に有利な遊技機用球樋装置に関する。
【背景技術】
【０００２】
タンクから供給された球を一端側で受けて他端側に流下させて球払出機構に供給する横樋を備えた遊技機用球樋装置においては、横樋の一端と他端との間の中間部に球崩し部材（球ならし部材）を備えたものが知られている（特許文献１，２）。また、横樋の一端と他端との間の中間部に、錘を備えた球崩し部材（球ならし部材）が球の流れる方向に回転可能に取り付けられたものが知られている（特許文献２）。また、横樋の一端側に球がなくなったことを検出するために、横樋の内部の一端側に、錘を備えた球検出体が球の流れる方向に回転可能に取り付けられたものもある。
【特許文献１】特開平１１−９９２６７号公報
【特許文献２】特開平８−２４３２１１号公報
【発明の開示】
【発明が解決しようとする課題】
【０００３】
従来、球崩し部材と球検出体とは別の形態に形成されたものを使用しているので、経済的に不利である。また、球崩し部材の錘と球検出体の錘も別の形態に形成されたものを使用しているので、経済的に不利である。
【課題を解決するための手段】
【０００４】
本発明の遊技機用球樋装置は、遊技機枠の裏面に取り付けられて球を一端側から他端側に向けて流下させる横樋と、横樋の内部の一端側に球の流れる方向に回転可能に取り付けられた球検出体と、横樋の内部の一端側と他端側との間の中間に球の流れる方向に回転可能に取り付けられた球崩し部材とを備えた遊技機用球樋装置において、これら球崩し部材と球検出体とが同一形態の共通体により形成されたことを最も特徴とする。また、共通体が、遊技機に使用される球を錘として設けたことや、共通体が、錘として遊技機に使用される球の嵌合部を備えたことや、共通体が、板状の三角形状に形成され、一方の底角部には板厚方向に貫通する孔からなる嵌合部を備え、頂点部分には当該共通体を横樋に軸で回転可能に支持するために板厚方向に貫通する軸受孔を備え、頂点部分と他方の底角部とを結ぶ面で構成された球検出面を備え、弧状に形成された一方の底角部と、一方の底角部と他方の底角部とを結ぶ面と、他方の底角部と頂点部分とを結ぶ面とで構成された球崩し面を備えたことも特徴とする。
【発明の効果】
【０００５】
本発明の遊技機用球樋装置によれば、同一形態に形成された共通体を、球崩し部材又は球検出体として用いることで、球崩し部材と球検出体のコストダウンを図れ、経済的に有利となる。共通体の錘として遊技機に使用される球を用いたことにより、錘のコストダウンを図れる。共通体に嵌合部を設けたことで、嵌合部に錘を容易に装着できる。共通体が、球崩し面を備えるので、共通体を球崩し部材として球通路内に配置して使用しても、球通路内における球噛みを発生するような不都合はない。また、共通体が球検出面を備えるので、共通体を球検出体として球通路内に配置して使用しても、タンクから球通路の内部に供給された球との接触する機会が多くなり、球検出動作を適切に行え、さらに、弧状に形成された一方の底角部を備えるので、共通体が球通路に供給された球により押し動かされた場合、球検出体の弧状の底角部により球検出器を円滑に動作させることができる。
【発明を実施するための最良の形態】
【０００６】
図１−図４は、一実施形態である。図１のａ図は、遊技機用球樋装置１を分解して示す。図１のｂ図は、横樋２の下流側端部の平面を示す。図１のｃ図は、遊技機用球樋装置１の組み立てられた外観を示す。図２は、共通体３１を示す。図３は、遊技機用球樋装置１の作用を示す。図４は、パチンコ機の裏面を示す。
【０００７】
図１を参照し、遊技機用球樋装置１の構造について説明する。図１のａ図に示すように、遊技機用球樋装置１は、横樋２の内部に、球検出体３と球崩し部材４とを備える。横樋２は、球４２を図４に示すタンク４５から球払出機構４９に誘導しつつ一列に整列して供給するものであって、一端から他端に向けて球４２を自然流下する、上方に開放された横長な形態である。横樋２の内部には、２つの球通路５が、横樋２の底部６から上方に突出する仕切壁７によって、形成される。仕切壁７は、図１に矢印Ｘ３で示す球４２の流れる方向と直交する横方向の中央において、横樋２の一端から他端にわたり直線的に存在する。仕切壁７よりも球の流れる方向の上流側において、２つの球通路５は、開放された形態である。この２つの球通路５の開放された部分において、検出器取付部８が、横樋２の底部６から上方に突出する。検出器取付部８には、マイクロスイッチからなる２個の球検出器９が、各球検出器９の作動片１０を球検出体３の方向に向けた格好で、２つの球通路５と対応する位置に、図外の止ねじで取り付けられる。作動片１０は、球検出器９との連接部である上部を支点として球４２の流れる方向と平行する両方向に回転する、板ばねにより形成される。球検出器９は、２つの球通路５ごとに設けられた球検出体３によって、個別にオン・オフ動作する。具体的には、球検出器９の作動片１０が、球検出体３で他端側から一端側に向けて押されると、球検出器９の図３に示す可動スイッチ突起１１を押し、球検出器９がオン動作する。その状態において、球検出体３から作動片１０に対する押圧動作が解除されると、作動片１０が自分の弾性で球検出体３の側に突出し、可動スイッチ突起１１が球検出器９に内蔵された図外のばねで球検出体３の側に突出し、球検出器９がオフ動作する。
【０００８】
球検出体３および球崩し部材４は、同一形態に形成されたものであるので、２つの球通路５における球４２の流れる方向と直交する横幅が同じ幅である部分に、軸１２；１３で、球４２の流れる方向に回転可能に、取り付けられる。具体的には、横樋２の相対峙する側壁１４と仕切壁７とには、球検出体３および球崩し部材４のそれぞれと対応する軸１２；１３を装着するための貫通孔１５；１６が形成される。軸１２；１３は、貫通孔１５；１６に挿入される丸棒状の軸本体１７；１８の一端に軸本体１７；１８よりも外径の大きな頭部１９；２０を備え、軸本体１７；１８の他端に溝２１；２２を備える。溝２１；２２は、軸本体１７；１８の外周面３５の周方向全域にわたり形成される。そして、軸１２；１３の一端が横樋２の一方の側壁１４の貫通孔１５；１６から仕切壁７の貫通孔１５；１６を経由して他方の側壁１４の貫通孔１５；１６に個別に挿入されると、頭部１９；２０が一方の側壁１４の外面に接触し、溝２１；２２が他方の側壁１４よりも外側に突出する。その状態において、溝２１；２２には止輪２３；２４が装着される。これによって、軸１２；１３が横樋２から抜けないように横樋２に装着される。
【０００９】
図１のｂ図に示すように、横樋２の他端部における底部６には、上下方向に貫通する球出口２５が、２つの球通路５ごとに設けられる。球出口２５の周りにおける２つの球通路５の内部には、整流部２６を備える。２つの球出口２５は、横樋２の底部６から上方に突出する弧状壁２７と仕切壁７とに連接された隔壁２８で、互いに隔てられる。
【００１０】
図１のｃ図に示すように、２つの球検出体３が２つの球通路５の内部に配置された状態において、軸１２が横樋２の貫通孔１５に挿入され、他方の側壁１４よりも外側に突出した溝２１には止輪２３が取り付けられる。これによって、２つの球検出体３が軸１２で２つの球通路５に球４２の流れる方向に回転可能に取り付けられる。２つの球崩し部材４が２つの球通路５の内部に配置された状態において、軸１３が横樋２の貫通孔１６に挿入され、他方の側壁１４よりも外側に突出した溝２２には止輪２４が取り付けられる。これによって、２つの球崩し部材４が軸１３で２つの球通路５に球４２の流れる方向に回転可能に取り付けられる。
【００１１】
横樋２の相対峙する側壁１４の内面には、側壁１４を補強する縦長なリブ２９が、貫通孔１５よりも検出器取付部８の方向に位置して、設けられる。リブ２９の側壁１４における内面からの突出寸法は、図２に示す筒状の周壁４０における共通体３１の厚さ方向両板面３９からの突出寸法よりも小さい。これによって、共通体３１が球検出体３および球崩し部材４に軸１２；１３で横樋２に取り付けられて球４２の流れる方向に回転した場合でも、共通体３１とリブ２９とが互いに接触するような干渉は生じない。
【００１２】
図２を参照し、図１に示す球検出体３および球崩し部材４の同一形態を、球検出体３および球崩し部材４に相当する共通体３１を例として説明する。共通体３１は、図１の２つの球通路５における同じ幅である横幅よりも厚さが薄い板状の三角形であって、頂点部分に軸受孔３２を備え、一方の底角部に嵌合部３３を備える。軸受孔３２および嵌合部３３は、共通体３１の厚さ方向に貫通する。共通体３１は、頂点部分と嵌合部３３の設けられていない他方の底角部とを結ぶ平坦な傾斜面３４を備える。傾斜面３４は、共通体３１が図１に示す球検出体３として使用された場合における球検出面として機能する。共通体３１の一方の底角部は、嵌合部３３の中心を中心とする弧状の外周面３５を有する。外周面３５は、外周面３５の一方から接線状に延びる底面３６で傾斜面３４と連接される一方、外周面３５の他方から接線状に延びる斜面３７で頂点部分の外周面３８と連接される。弧状の外周面３５と底面３６および斜面３７は、共通体３１が図１に示す球崩し部材４として使用された場合における球崩し面として機能する。共通体３１の厚さ方向の両板面３９には、軸受孔３２を囲む筒状の周壁４０が形成される。一方の周壁４０と他方の周壁４０との間隔Ｌ１は、図１の２つの球通路５における同じ幅である横幅と同一かまたは同一程度に小さい。嵌合部３３は、遊技機用球樋装置１の取り付けられる遊技機で使用される１個の球４１の直径と略同一である。具体的には、上記球が人の力で共通体３１の一方の板面から嵌合部３３の内部に押し込まれることによって嵌合部３３の内部に装着されるように、嵌合部３３の直径は、１個の球４１と略同一である。球４１と球４２とは形態、重さの同一な鋼球であって、いわゆるパチンコ球と呼ばれるものである。
【００１３】
図３を参照し、遊技機用球樋装置１の作用について説明する。球検出体３が軸１２で横樋２に取り付けられた場合、球検出体３の嵌合部３３に嵌め込まれた錘としての球４１の重さによって、軸１２の真下に錘としての球４１が位置する形態となる。軸１２の中心と錘としての球４１の中心とを結ぶ１本の直線は垂線となる。このように球検出体３が横樋２に取り付けられた場合、球検出体３は球検出器９の作動片１０と横樋２の底部６との双方から離れている。球検出体３における他方の底角部と横樋２の底部６との間に形成された隙間Ｌ２は、横樋２の底部６に接触した１個の球４２の直径の１／２よりも小さい寸法に設定される。そして、横樋２の上方に配置されたタンク４５の底部に形成された球供給口４６から球４２が球検出体３と球崩し部材４との間における横樋２の２つの球通路５に供給され、当該供給された球４２が球検出体３を矢印Ｘ１方向に押し動かすと、球検出体３の弧状の外周面３５が作動片１０を押圧して作動片１０が球検出器９の可動スイッチ突起１１を押し、球検出器９がオン動作する。タンク４５から２つの球通路５に供給された球４２が少なくなり、当該球４２が減少して球検出体３から離れることによって、球検出体３から作動片１０に対する球４２からの押圧動作が解除されると、作動片１０が自分の弾性で球検出体３の側に突出し、可動スイッチ突起１１が球検出器９に内蔵された図外のばねで球検出体３の側に突出し、球検出器９がオフ動作する。
【００１４】
また、球崩し部材４が軸１３で横樋２に取り付けられた場合、球崩し部材４の嵌合部３３に嵌め込まれた錘としての球４１の重さによって、軸１３の真下に錘としての球４１が位置する形態となる。軸１３の中心と錘としての球４１の中心とを結ぶ１本の直線は垂線となる。このように球崩し部材４が横樋２に取り付けられた場合、球崩し部材４は横樋２の底部６から離れている。この球崩し部材４と横樋２の底部６との間に形成された間隔は、横樋２の底部６に接触した１個の球４２の直径よりも大きいが、２個の球４２が縦方向に上下２段で直列に重なった場合の当該２個の球４２分の直径よりも小さい寸法に設定される。そして、横樋２の上方に配置されたタンク４５の底部に形成された球供給口４６から球が球検出体３と球崩し部材４との間における横樋２の２つの球通路５に供給され、当該供給されて上下２段となった球４２のうちの上段の球４２が球崩し部材４に衝突すると、球崩し部材４が衝突した球４２で矢印Ｘ２方向に押し動かされる。このように球崩し部材４が矢印Ｘ２方向に移動すると、錘としての球４１の位置エネルギーが大きくなり、この大きくなった位置エネルギーが球崩し部材４に衝突した球の運動エネルギーよりも大きくなると、球崩し部材４が衝突した球４２の障壁となる。これによって、球崩し部材４の弧状の外周面３５が衝突した球４２を一列となるように崩す。
【００１５】
図４を参照し、遊技機用球樋装置１を用いたパチンコ機の裏側の構造について説明する。遊技機用球樋装置１が、遊技機枠５０の裏面におけるタンク４５と縦形球樋４７との間に、横樋２の一端から他端に行くにしたがって徐々に傾斜する格好で、遊技機枠５０に取り付けられる。これによって、タンク４５における図３に示す球供給口４６が横樋２の上に配置されて連結され、横樋２の図１のｂ図に示す球出口２５；２５が縦形球樋４７の球入口の上に配置されて連結部材４８で連結される。この場合、横樋２の２つの球出口２５が縦形球樋４７の２つの球入口に別々に連結され、球通路５を流下してくる球４２が整流部２６で整流されて縦形球樋４７の２つの球入口に一列状態で別々に供給され、縦形球樋４７から球を一列状態で下部の球払出機構４９に別々に送り、球払出機構４９が、図外の制御装置からの球払出動作指示による図外の駆動源の駆動によって、縦形球樋４７から一列状態で別々に供給された球を中継樋５１から遊技機枠５０の前面における球皿５２に払い出す。タンク４５は、上方に開口された箱形である。タンク４５の上部には、遊技機枠５０の設置された遊技店における島と呼ばれる図外の遊技設置設備の補給系統の球出口が配置される。そして、球がタンク４５から横樋２に供給され、タンク４５に球が無くなるか、または、タンク４５の球が減ると、球検出器９のオフ動作による信号が制御装置に球供給指示信号として送られ、これにより制御装置が補給系統に球補充処理を指示して補給系統から球４２がタンク４５に補給される。
【００１６】
実施形態の構造によれば、図１に示す横樋２の内部に設けられる球検出体３と球崩し部材４とが、図２に示す共通体３１により、同一形態に形成されているので、共通体３１を複数個設け、当該複数の共通体３１のうちの１つを球検出体３として軸１２で横樋２に取り付け、前記複数の共通体３１のうちのもう１つを球崩し部材４として軸１３で横樋２に取り付けることによって、球検出体３と球崩し部材４とをそれぞれ異なる形態に形成した場合に比べ、球検出体３と球崩し部材４とのコストダウンを図れるという利点がある。
実施形態の構造によれば、共通体３１の球崩し面は、共通体３１の外周面３５と底面３６と斜面３７とから構成されているので、共通体３１が球崩し部材４として使用されても、２つの球通路５内における球噛みを発生するような不都合はないという利点がある。
実施形態の構造によれば、共通体３１の球検出面は、共通体３１の傾斜面３４から構成されているので、共通体３１が球検出体３として使用されても、タンク４５から２つの球通路５の内部に供給された球４２との接触する機会が多くなり、球検出動作を適切に行えるという利点がある。
実施形態の構造によれば、共通体３１の外周面３５が弧状に形成されているので、共通体３１が球検出体３として使用されて球通路５に供給された球４２により押し動かされた場合、球検出体３の弧状の外周面３５が球検出器９の作動片１０を押し、球検出器９が円滑に動作するという利点がある。
【００１７】
実施形態の構造によれば、共通体３１が、遊技機に使用する球を錘として装着するための嵌合部３３を備えているので、当該嵌合部３３に遊技機に使用する球を錘として容易に取り付けることができ、かつ、球検出体３と球崩し部材４とのそれぞれに遊技機に使用する球４２と別に形成された鋼球を使用する場合に比べ、錘のコストダウンが図れるという利点がある。
実施形態の構造によれば、共通体３１の軸受孔３２が筒状の周壁４０で囲まれているので、共通体３１が球検出体３および球崩し部材４として使用された場合、筒状の周壁４０が横樋２の相対峙する側壁１４の内面に接触し、共通体３１が回転したとしても、共通体３１における筒状の周壁４０を除いた外側面が横樋２から離れているので、共通体３１の回転動作が円滑に行われるという利点がある。
【産業上の利用可能性】
【００１８】
本発明の遊技機用球樋装置は、パチンコ機や、遊技媒体としてパチンコ球を使用するスロットマシン等の遊技機に使用できる。
また、共通体３１は、球崩し部材４あるいは球検出体３のみを備える遊技機用球樋装置１の球崩し部材４あるいは球検出体３として使用できる。
また、共通体３１の下部に孔を設け、この孔に球４１を入れて球を接着剤等で孔内に固定してもよい。
【図面の簡単な説明】
【００１９】
【図１】遊技機用球樋装置を示し、ａ図は分解斜視図、ｂ図は横樋の下流側端部の平面図、ｃ図は外観図。
【図２】遊技機用球樋装置の共通体を示す斜視図。
【図３】遊技機用球樋装置の断面図。
【図４】遊技機用球樋装置を使用した遊技機の球払出系統を示す背面図。
【符号の説明】
【００２０】
１  遊技機用球樋装置、２  横樋、３  球検出体、４  球崩し部材、１２；１３  軸、３１  共通体、３２  軸受孔、３３  嵌合部、３４  傾斜面（球検出面）、
３５  弧状の外周面（球崩し面）、３６  底面（球崩し面）、３７  斜面（球崩し面）、４１  球（錘）、４２  球。
【図１】
2005168589.tif 000003
【図２】
2005168589.tif 000004
【図３】
2005168589.tif 000005
【図４】
2005168589.tif 000006